(57)【要約】【課題】簡便で、安価で、使い捨てでき、しかも便器の外側を伝って流れ落ちる尿を確実に捕捉できるトイレ清潔取替えシートの提供。【解決手段】トイレ清潔取替えシート１０は、洋式便器の基台の縁に掛かった尿が該便器の外側を伝って流れ落ち、床を汚すのを防止するために該縁から該床に至る間の該便器の外側に密着して取り付けられる帯状の吸取り部１２と、吸取り部１２の長手方向の両端に取り付けてあり、吸取り部１２を該便器の外側に密着して取りつける着脱可能な接着シール１１とでなる。吸取り部１２は吸水性樹脂を担持させた吸水紙でなる。このシート１０を洋式便器の基台の外周に貼り付けることにより、尿の液滴を完全に吸着、吸収することができる。【選択図】図７
2007105076.tif 000002
【特許請求の範囲】
【請求項１】
洋式便器の基台の縁に掛かった尿が該便器の外側を伝って流れ落ち、床を汚すのを防止するために該縁から該床に至る間の該便器の外側に密着して取り付けられる帯状の可撓性給水シートと、該可撓性給水シートの長手方向の両端に取り付けてあり、該可撓性給水シートを該便器の外側に密着して取りつける着脱可能な接着シールとでなることを特徴とするトイレ清潔取替えシート。
【請求項２】
前記可撓性給水シートは、天然繊維、合成繊維、天然紙、合成紙又はこれら材料を複合した複合材でなることを特徴とする請求項１に記載のトイレ清潔取替えシート。
【請求項３】
でんぷんポリマー型吸水性樹脂その他の吸水性樹脂が前記可撓性給水シートに担持されていることを特徴とする請求項１又は２に記載のトイレ清潔取替えシート。
【請求項４】
芳香剤又は消臭剤のうちの少なくとも一方が、前記可撓性給水シートに噴霧、塗布若しくは担持され、又は可撓性給水シートに設けられたポケットに保持されていることを特徴とする請求項１乃至３に記載のトイレ清潔取替えシート。
【請求項５】
前記可撓性給水シートは厚さ１〜２mmであり、幅６〜７cm、長さ２５〜３０cmの長方形をなし、前記接着シールは該可撓性給水シートの両端に取り付けられた縦、横ともに約５cmの着脱可能な片面接着テープであることを特徴とする請求項１乃至４に記載のトイレ清潔取替えシート。
【請求項６】
活性炭又はシリカゲルでなる消臭剤が、前記可撓性給水シートに担持されるか、または該可撓性給水シートに設けられたポケットに保持されていることを特徴とする請求項１乃至５に記載のトイレ清潔取替えシート。
【発明の詳細な説明】
【技術分野】
【０００１】
本発明は、洋式便器の基台の縁に掛かった尿が該便器の外側を伝って流れ落ち、床を汚すのを防止するためのトイレ清潔取替えシートに関する。
【背景技術】
【０００２】
従来、男性が洋式便器を使用し、立った姿勢で排尿した際に、洋式便器の基台の縁に掛かった尿が該便器の外側を伝って流れ落ち、床を汚すのを防止するための手段については、色々と提案されている。例えば、特許文献１（実用新案登録第３０３２２１０号）には「トイレ尿もれ吸収使い捨てシート」なる考案が開示されている。図１は、特許文献１に図１として示された使い捨てシートであり、洋式便器の足元に薄手のペーパーシートを敷いてこぼれた尿を吸収し、そのまま便器内に捨てて流し得るものである。図２は、特許文献１に図２として示された使い捨てシートであり、同様に洋式便器の足元に厚手のペーパーシートを敷いてやや大量の尿がこぼれても吸収し、燃えるゴミとして廃棄し得るものである。図１および図２において、１は洋式便器、２はペーパーシート（薄手）、３はペーパーシート（厚手）である。
【０００３】
特許文献２（特開２００３−１５３８２７）には、「らくらくお掃除トイレカバー」なる発明が開示されている。図３乃至図５は、特許文献２に図２乃至図４として示された図であり、便器の外側面全体、および便器周辺の床面を布カバーで覆い、布カバーが汚れたらそれを洗濯機に丸ごと洗い得るというものである。図３乃至図５において、４は上部布部、５はゴムテープ部、６はゴムシャーリング部、７は床に添う布部、８はゴムテープアシ゛ャスター部、９はゴムテープ接続部である。
【特許文献１】実用新案登録第３０３２２１０号
【特許文献２】特開２００３−１５３８２７
【発明の開示】
【発明が解決しようとする課題】
【０００４】
特許文献１の「トイレ尿もれ吸収使い捨てシート」では、床にこぼれた尿をペーパーシートで吸取るだけであって、洋式便器の基台の縁に掛かった尿が該便器の外側を伝って流れ落ちたとき、尿のかなりの部分は貴台の下端部であって床に接触する面と床との狭い隙間に侵入し、ペーパーシートには床に滴り落ちた尿の一部分しか吸収されないので、トイレの汚れ防止には十分に機能しない。
また、特許文献２の「らくらくお掃除トイレカバー」では、洋式便器の基台の外側（外周）の尿も床の尿もすべて吸取るようになっているが、あまりにも大規模でコストがかかる。また、洗濯機では顔を拭く手拭やハンケチ、ワイシャツも洗うので、尿で汚れた大型布袋状のものをそのまま洗濯機に入れて洗うにも抵抗感がある。本発明は、洋式便器の基台の縁に掛かった尿が該便器の外側を伝って流れ落ち、床を汚すのを防止するための手段の改善策として、簡便で、安価で、使い捨てでき、しかも便器の外側を伝って流れ落ちる尿を確実に捕捉できるトイレ清潔取替えシートを提供し、もって安全清潔な国民生活に貢献しようとするものである。
【課題を解決するための手段】
【０００５】
前述の課題を解決するために本発明は次の手段を提供する。
【０００６】
（１）洋式便器の基台の縁に掛かった尿が該便器の外側を伝って流れ落ち、床を汚すのを防止するために該縁から該床に至る間の該便器の外側に密着して取り付けられる帯状の可撓性給水シートと、該可撓性給水シートの長手方向の両端に取り付けてあり、該可撓性給水シートを該便器の外側に密着して取りつける着脱可能な接着シールとでなることを特徴とするトイレ清潔取替えシート。
【０００７】
（２）前記可撓性給水シートは、天然繊維、合成繊維、天然紙、合成紙又はこれら材料を複合した複合材でなることを特徴とする前記（１）に記載のトイレ清潔取替えシート。
【０００８】
（３）でんぷんポリマー型吸水性樹脂その他の吸水性樹脂が前記可撓性給水シートに担持されていることを特徴とする前記（１）又は（２）に記載のトイレ清潔取替えシート。
【０００９】
（４）芳香剤又は消臭剤のうちの少なくとも一方が、前記可撓性給水シートに噴霧、塗布若しくは担持され、又は可撓性給水シートに設けられたポケットに保持されていることを特徴とする前記（１）乃至（３）に記載のトイレ清潔取替えシート。
【００１０】
（５）前記可撓性給水シートは厚さ１〜２mmであり、幅６〜７cm、長さ２５〜３０cmの長方形をなし、前記接着シールは該可撓性給水シートの両端に取り付けられた縦、横ともに約５cmの着脱可能な片面接着テープであることを特徴とする前記（１）乃至（４）に記載のトイレ清潔取替えシート。
【００１１】
（６）活性炭又はシリカゲルでなる消臭剤が、前記可撓性給水シートに担持されるか、または該可撓性給水シートに設けられたポケットに保持されていることを特徴とする前記（１）乃至（５）に記載のトイレ清潔取替えシート。
【発明の効果】
【００１２】
本発明によるトイレ清潔取替えシートは、洋式便器の使用の際に基台の外側（外周）に飛び散って付着する尿の液滴を可撓性給水シートで吸収し、完全に捕捉する。この可撓性給水シートがある程度吸水したならば、接着シールを洋式便器の基台から剥がし、トイレ清潔取替えシートを新しいシートをつけることにより、簡便に、安価に、便器をいつも清潔に維持できる。また、可撓性給水シートに芳香剤を付加することにより、さわやかな香りのトイレ空間をつくることができる。また、ポケットをつけて、活性炭やシリカゲルを充填、付加することにより、脱臭することができ、快適なトイレ空間をつくることができる。このように、本発明によれば、洋式便器の基台の縁に掛かった尿が該便器の外側を伝って流れ落ち、床を汚すのを防止するための手段として、簡便で、安価で、使い捨てでき、しかも便器の外側を伝って流れ落ちる尿を確実に捕捉できるトイレ清潔取替えシートを提供できる。
【発明を実施するための最良の形態】
【００１３】
次に、本発明の実施の形態を挙げ、本発明を一層詳しく説明する。
【００１４】
図６は、本発明の一実施の形態が取り付けられた様式便器を示す斜視図である。また、図７は図６における本発明の実施の形態であるトイレ清潔取替シートを示す正面図である。本実施の形態のトイレ清潔取替シート１０は、洋式便器１の基台２０の外周に両端にある着脱可能な接着シール１１によって、基台２０の外周に密着して貼り付けられる。このシート１０は、水に対する吸着性、吸水性が非常に大きいので、基台２０の外周を伝わって下りてくる尿のすべてを完全に、つかまえることができる。このシートより下へは尿は垂れて行かない。取付部１２（前述の可撓性給水シートに相当）がある程度尿を吸って、黄色が濃くなったり、膨張してきたら、トイレ清潔取替シート１０を取り替える。  
【００１５】
図７のトイレ清潔取替シート１０における吸取部１２は、ペーパー・タオルなどに使用されている吸水性に優れた厚手の紙である。接着シール１１は、ポストイット（登録商標）などに用いられている着脱が自在に可能な接着剤が片面に塗布された紙でなる。吸取部１２の紙を２重に構成し、２重の紙の間にでんぷんポリマー吸水性樹脂を担持させておけば、給水能力を格段に増大できる。でんぷんポリマー吸水性樹脂は１ｇで水６００ｇを吸水することができるので、０．１ｇを紙に担持させた吸取部１２は尿を６０ｇ吸収できる。１日に飛び散って流れ落ちる尿を０．５ｇとすると、１枚で１２０日（約４ヶ月）使用することができる。
【００１６】
図７の正面図に示してあるように、吸取部１２は、幅は６cm、長さ３０cm、厚さ１mmで、両端に縦、横５cmの接着シールがついている。この接着シールは着脱可能のシールで、トイレ基台の外側に何らの汚れを残さない。吸取部１２は、厚さ１〜２mmであり、幅６〜７cm、長さ２５〜３０cmの長方形とするのが、一般的に使い易い。
【００１７】
図８は吸取部１２の上辺を約１cm折り曲げたものである。折り曲げることによって、上方からの下りてくる尿の液滴をより完全に捕捉することができる。また、尿の色をより見やすくし、上部と下部の尿の色を判定して、取替え時期の判断を容易にするものである。
【００１８】
図９は吸取部１２に液状の芳香剤を噴霧し、または液状、ゼリー状の芳香剤をしみ込ませたものである。この場合、芳香剤が揮発してその効力が無くならないように、透明フィルムで表面をカバーして、空気を遮断し、使用時にそれを剥がして使う。さわやかな香りのトイレ空間が得られる。
【００１９】
図１０は、吸取部１２に非常に微細な粉（５〜１０μ）の白色のシリカゲル（ＳiＯ2）を分散担持させたトイレ清潔取替えシートを示す。シリカゲルは、吸水部１２の吸水性を向上する。また、シリカゲルは消臭、殺菌作用を有するので、図１０のトイレ清潔取替えシートを用いれば、非常に健康的で、清潔なトイレ空間が得られる。
【００２０】
図１１は、幅１cm、長さ５cm、隙間０．５ｃｍのポケット１６，１７を吸取部１２に付けたトイレ清潔取替えシートを示す。使用者の好みに応じて、このポケット１６，１７の中に芳香剤（ゼリー状又は固体粒状）を入れることにより、さわやかなトイレ空間を得ることができる。また、ポケット１６，１７の中に活性炭（固体粒状）やシリカゲル（固体粒状）といった消臭剤を入れることにより、消臭や殺菌が行なわれ、健康で清潔なトイレ空間を得ることができる。
【００２１】
以上には実施の形態を挙げ、本発明を具体的に説明したが、本発明はこれら実施の形態に限定される物でないことは勿論である。
【図面の簡単な説明】
【００２２】
【図１】特許文献１に掲載されたトイレ尿もれ吸収使い捨てシートの斜視図である。
【図２】特許文献１に掲載された、別のトイレ尿もれ吸収使い捨てシートの斜視図である。
【図３】特許文献２に掲載されたらくらくお掃除トイレカバーの斜視図である。
【図４】特許文献２に掲載されたゴムテープアジャスター部の斜視図である。
【図５】特許文献２に掲載されたゴムテープ接続部の斜視図である。
【図６】本発明の一実施の形態を示す斜視図である。
【図７】図６の実施の形態の基準寸法を示す正面図である。
【図８】吸取り部１２の上部を約１cm折り曲げてより水を吸収しやすくした本発明の他の実施の形態を示す正面図である。
【図９】吸取り部１２に芳香剤をしみこませた本発明の更に他の実施の形態を示す正面図である。
【図１０】吸取り部１２に微粉末白色シリカゲルを担持させて、消臭および吸水の効果をより高めた本発明の更に他の実施の形態を示す正面図である。
【図１１】吸取り部１２にポケットを取付けて、必要に応じて芳香剤あるいは消臭剤を入れて、トイレ空間をよりさわやかにする本発明の更に他の実施の形態を示す正面図である。
【符号の説明】
【００２３】
１  洋式便器
２  ペーパーシート（薄手）
３  ペーパーシート（厚手）
４  上部布部
５  ゴムテープ部
６  ゴムシャーリング部
７  下部布部
８  ゴムテープアジャスター部
９  ゴムテープ接続部
１０  トイレ清潔取替えシート
１１  接着シール
１２  吸取部
１３  吸水シート折り曲げ部分
１４  芳香剤をしみこませ、透明フィルムでカバー
１５  吸水シートにシリカゲル担持
１６  ポケット（芳香剤用）
１７  ポケット（消臭剤用）
２０  基台
【図１】
2007105076.tif 000003
【図２】
2007105076.tif 000004
【図３】
2007105076.tif 000005
【図４】
2007105076.tif 000006
【図５】
2007105076.tif 000007
【図６】
2007105076.tif 000008
【図７】
2007105076.tif 000009
【図８】
2007105076.tif 000010
【図９】
2007105076.tif 000011
【図１０】
2007105076.tif 000012
【図１１】
2007105076.tif 000013